(57)【要約】【課題】左右の目当て部材の位置調整を迅速かつ容易に行うことができる双眼鏡を提供すること。【解決手段】本発明の双眼鏡１Ａは、一対の観察光学系２Ｌ、２Ｒと、観察光学系２Ｌ、２Ｒのピントを調整する際に回転操作するピントリング３と、観察光学系２Ｌ、２Ｒの接眼側に設置され、接眼レンズ系２２Ｌ、２２Ｒに対し光軸Ｏ１、Ｏ２方向に変位可能な一対の目当て部材４Ｌ、４Ｒと、目当て部材４Ｌ、４Ｒを同時に光軸Ｏ１、Ｏ２方向に変位させる目当て連動機構５Ａと、目当て連動機構５Ａを作動させる際に操作する操作部材６とを備える。【選択図】図３
2005017759.tif 000002
【特許請求の範囲】
【請求項１】
接眼レンズ系および対物レンズ系を有する一対の観察光学系と、
前記一対の観察光学系のピントを調整する際に操作するピントリングと、
前記一対の観察光学系の接眼側に設置され、前記各接眼レンズ系に対し光軸方向に変位可能な一対の目当て部材と、
前記一対の目当て部材を同時に光軸方向に変位させる目当て連動機構と、
前記目当て連動機構を作動させる際に操作する操作部材とを備えることを特徴とする双眼鏡。
【請求項２】
前記操作部材は、前記ピントリングと同心的に設けられている請求項１に記載の双眼鏡。
【請求項３】
前記操作部材は、前記ピントリングの対物側に設けられている請求項１または２に記載の双眼鏡。
【請求項４】
前記操作部材は、回転可能に設置されており、回転操作されるものである請求項１ないし３のいずれかに記載の双眼鏡。
【請求項５】
前記目当て連動機構は、前記操作部材の回転運動を前記一対の目当て部材の直進運動に変換する円筒カム機構を有する請求項４に記載の双眼鏡。
【請求項６】
前記円筒カム機構は、前記操作部材を一定の角速度で回転させたとき、前記一対の目当て部材の変位速度が途中で変化するように構成されている請求項５に記載の双眼鏡。
【請求項７】
前記円筒カム機構は、前記一対の目当て部材の収納状態と最大突出状態との途中に、前記操作部材が回転しても前記一対の目当て部材が変位しない部分が少なくとも１つあるにように構成されている請求項６に記載の双眼鏡。
【請求項８】
前記円筒カム機構は、前記操作部材を一定の角速度で回転させたとき、前記一対の目当て部材の収納状態に近いところでは前記一対の目当て部材の変位速度が比較的速く、前記一対の目当て部材の最大突出状態に近いところでは前記一対の目当て部材の変位速度が比較的遅くなるように構成されている請求項６に記載の双眼鏡。
【請求項９】
前記目当て連動機構は、前記操作部材の回転運動を前記一対の目当て部材の直進運動に変換する送りねじ機構を有する請求項４に記載の双眼鏡。
【請求項１０】
前記目当て連動機構は、前記ピントリングと同心的に設けられるとともに前記観察光学系の光軸方向に移動可能な円環状のリング部材と、該リング部材と前記各目当て部材とを連結する一対の連結部材とを有する請求項１ないし９のいずれかに記載の双眼鏡。
【請求項１１】
一方の前記目当て部材に対する前記連結部材は、前記リング部材に対し前記リング部材の周方向に移動可能に設置されている請求項１０に記載の双眼鏡。
【請求項１２】
前記一対の目当て部材の移動に対するクリックストップ機構を備える請求項１ないし１１のいずれかに記載の双眼鏡。
【請求項１３】
前記目当て連動機構は、前記一対の目当て部材の連動状態を解除可能な連動解除機構を有する請求項１ないし１２のいずれかに記載の双眼鏡。
【請求項１４】
前記連動解除機構は、前記目当て部材に過大な外力が作用したときに前記連動状態を解除することにより前記目当て連動機構が破損するのを防止する機能を発揮する請求項１３に記載の双眼鏡。
【請求項１５】
前記連動解除機構により前記連動状態を解除した状態で、前記各目当て部材の位置を独立に位置決め可能な独立位置決め機構をさらに備える請求項１３または１４に記載の双眼鏡。
【請求項１６】
前記目当て連動機構は、前記ピントリングと同心的に設けられるとともに前記観察光学系の光軸方向に移動可能な円環状のリング部材と、該リング部材と前記各目当て部材とを連結する一対の連結部材とを有し、
前記各連結部材は、前記リング部材から突出する第１腕部材と、前記目当て部材から突出する第２腕部材とで構成され、
前記第１腕部材と前記第２腕部材とは、両者の一方に形成された凹部と他方に形成された凸部とが着脱自在に係合することにより互いに連結された状態と連結が解除された状態とをとり得るように構成されており、前記連動解除機構として機能する請求項１３ないし１５のいずれかに記載の双眼鏡。
【請求項１７】
前記第１腕部材および前記第２腕部材の長さは、両者の連結が解除されているとき、前記目当て部材を収納状態にするとともに前記リング部材を最も対物側に移動させることにより、前記凹部と前記凸部とが係合して両者が連結状態に復帰するような長さに設定されている請求項１６に記載の双眼鏡。
【請求項１８】
前記第１腕部材および前記第２腕部材の長さは、両者の連結が解除されているとき、前記目当て部材を最大突出状態にするとともに前記リング部材を最も接眼側に移動させることにより、前記凹部と前記凸部とが係合して両者が連結状態に復帰するような長さに設定されている請求項１６に記載の双眼鏡。
【発明の詳細な説明】
【０００１】
【発明の属する技術分野】
本発明は、双眼鏡に関する。
【０００２】
【従来の技術】
双眼鏡の接眼レンズ側には、光軸方向に変位可能な目当てが設置されており、使用者は、この目当てに目（目の周囲）を当てて、双眼鏡を覗く。双眼鏡を覗いたとき、かげらずに全視野を見るためには、目を光軸上の正しい位置（アイポイント）に置く必要があるので、使用者は、眼鏡着用の有無や、顔の彫りの深さの違いなどに応じ、目当ての突出位置を自分に合わせて調整する。
【０００３】
双眼鏡では、目当ての位置調整が収納位置と使用位置との２段階のものが一般的である（例えば、特許文献１参照）。
【０００４】
また、比較的高級な機種では、個々人により適合した目当ての位置調整が行えるように、クリックストップを途中に数段設けて目当てを段階的に調整できるようにすることも考えられる。この場合、上記特許文献１のようなクリックストップ機構でこれを実現すると、目当ての位置を調整しようとすると、所望の位置が中間的な位置にある場合、力が余って所望の位置を行き過ぎたり、その行き過ぎを防ぐために力を加減して一段一段慎重に動かさなければならなかったりする。しかも、このような位置調整操作を左右の目当てに対してそれぞれ行わなければならず、手間が掛かる。さらに、左右の目当ての突出位置を同じにするために、最初に調整した方の目当ての位置（何段目か）を覚えておいてからもう片方の目当ての位置を調整する必要があるなど、非常に気を使う。
【０００５】
【特許文献１】
特開平８−１９４１６９号公報
【０００６】
【発明が解決しようとする課題】
本発明の目的は、左右の目当て部材の位置調整を迅速かつ容易に行うことができる双眼鏡を提供することにある。
【０００７】
【課題を解決するための手段】
このような目的は、下記（１）〜（１８）の本発明により達成される。
【０００８】
（１）  接眼レンズ系および対物レンズ系を有する一対の観察光学系と、
前記一対の観察光学系のピントを調整する際に操作するピントリングと、
前記一対の観察光学系の接眼側に設置され、前記各接眼レンズ系に対し光軸方向に変位可能な一対の目当て部材と、
前記一対の目当て部材を同時に光軸方向に変位させる目当て連動機構と、
前記目当て連動機構を作動させる際に操作する操作部材とを備えることを特徴とする双眼鏡。
【０００９】
これにより、操作部材を操作することによって左右一対の目当て部材を同時に変位させることができるので、左右の目当て部材の位置を別々に調整する必要がなく、一度に両方の位置を調整することができる。よって、目当て部材の位置調整を迅速かつ容易に行うことができる。また、左右一対の目当て部材の位置が揃った状態が常に維持されるので、両方の位置を揃えるために気を使う必要もない。
【００１０】
（２）  前記操作部材は、前記ピントリングと同心的に設けられている上記（１）に記載の双眼鏡。
【００１１】
これにより、双眼鏡を把持して覗いた姿勢のままでも操作部材を容易に操作することができ、操作性に優れる。
【００１２】
（３）  前記操作部材は、前記ピントリングの対物側に設けられている上記（１）または（２）に記載の双眼鏡。
【００１３】
これにより、双眼鏡を把持して覗いた姿勢のとき、使用者から見て操作部材がピントリングよりは遠くに位置するので、より操作頻度の高いピントリングの操作のし易さを損なうようなことはなく、また、ピントリングと操作部材とを間違えて操作するようなことも防止することができる。
【００１４】
（４）  前記操作部材は、回転可能に設置されており、回転操作されるものである上記（１）ないし（３）のいずれかに記載の双眼鏡。
【００１５】
これにより、操作部材を軽い操作力で操作することができ、目当て部材の位置調整をより精密に行うことができる。
【００１６】
（５）  前記目当て連動機構は、前記操作部材の回転運動を前記一対の目当て部材の直進運動に変換する円筒カム機構を有する上記（４）に記載の双眼鏡。
【００１７】
これにより、簡単な構造で、操作部材の回転運動を目当て部材の直進運動に変換することができる。
【００１８】
（６）  前記円筒カム機構は、前記操作部材を一定の角速度で回転させたとき、前記一対の目当て部材の変位速度が途中で変化するように構成されている上記（５）に記載の双眼鏡。
これにより、目当て部材の位置調整をさらに容易に行うことができる。
【００１９】
（７）  前記円筒カム機構は、前記一対の目当て部材の収納状態と最大突出状態との途中に、前記操作部材が回転しても前記一対の目当て部材が変位しない部分が少なくとも１つあるにように構成されている上記（６）に記載の双眼鏡。
これにより、目当て部材の位置調整をさらに容易に行うことができる。
【００２０】
（８）  前記円筒カム機構は、前記操作部材を一定の角速度で回転させたとき、前記一対の目当て部材の収納状態に近いところでは前記一対の目当て部材の変位速度が比較的速く、前記一対の目当て部材の最大突出状態に近いところでは前記一対の目当て部材の変位速度が比較的遅くなるように構成されている上記（６）に記載の双眼鏡。
これにより、目当て部材の位置調整をさらに容易に行うことができる。
【００２１】
（９）  前記目当て連動機構は、前記操作部材の回転運動を前記一対の目当て部材の直進運動に変換する送りねじ機構を有する上記（４）に記載の双眼鏡。
【００２２】
これにより、簡単な構造で、操作部材の回転運動を一対の目当て部材の直進運動に変換することができる。
【００２３】
（１０）  前記目当て連動機構は、前記ピントリングと同心的に設けられるとともに前記観察光学系の光軸方向に移動可能な円環状のリング部材と、該リング部材と前記各目当て部材とを連結する一対の連結部材とを有する上記（１）ないし（９）のいずれかに記載の双眼鏡。
【００２４】
これにより、目当て連動機構を少ないスペースで設けることができるので、双眼鏡のサイズが大型化するのを防止することができる。
【００２５】
（１１）  一方の前記目当て部材に対する前記連結部材は、前記リング部材に対し前記リング部材の周方向に移動可能に設置されている上記（１０）に記載の双眼鏡。
【００２６】
これにより、眼幅調整の方式が１軸回転式である場合、一方の連結部材がリング部材の周方向に移動することにより、眼幅調整動作に追従することができる。
【００２７】
（１２）  前記一対の目当て部材の移動に対するクリックストップ機構を備える上記（１）ないし（１１）のいずれかに記載の双眼鏡。
【００２８】
これにより、目当て部材の位置調整を行う際、クリック感（節度感）が得られるので、調整操作がし易く、希望の位置に容易に位置決めすることができる。
【００２９】
（１３）  前記目当て連動機構は、前記一対の目当て部材の連動状態を解除可能な連動解除機構を有する上記（１）ないし（１２）のいずれかに記載の双眼鏡。
【００３０】
これにより、何らかの理由で左右の目当て部材の連動状態を解除する必要がある場合に対応することができる。
【００３１】
（１４）  前記連動解除機構は、前記目当て部材に過大な外力が作用したときに前記連動状態を解除することにより前記目当て連動機構が破損するのを防止する機能を発揮する上記（１３）に記載の双眼鏡。
【００３２】
これにより、例えば、目当て連動機構があるのを知らない使用者が通常の双眼鏡と同じように目当て部材を掴んで光軸方向に押し込んだり引っ張ったりしたときであっても、目当て連動機構が破損するのを防止することができる。
【００３３】
（１５）  前記連動解除機構により前記連動状態を解除した状態で、前記各目当て部材の位置を独立に位置決め可能な独立位置決め機構をさらに備える上記（１３）または（１４）に記載の双眼鏡。
【００３４】
これにより、連動状態を解除した状態では、左右の目当て部材の位置をそれぞれ独立して調整することができるので、目当て連動機構があるのを知らない使用者は、通常の双眼鏡と同じ要領で左右の目当て部材の位置をそれぞれ独立に調整して使用することができる。または、何らかの理由で左右の目当て部材の位置を違える必要がある場合にも対処することができる。
【００３５】
（１６）  前記目当て連動機構は、前記ピントリングと同心的に設けられるとともに前記観察光学系の光軸方向に移動可能な円環状のリング部材と、該リング部材と前記各目当て部材とを連結する一対の連結部材とを有し、
前記各連結部材は、前記リング部材から突出する第１腕部材と、前記目当て部材から突出する第２腕部材とで構成され、
前記第１腕部材と前記第２腕部材とは、両者の一方に形成された凹部と他方に形成された凸部とが着脱自在に係合することにより互いに連結された状態と連結が解除された状態とをとり得るように構成されており、前記連動解除機構として機能する上記（１３）ないし（１５）のいずれかに記載の双眼鏡。
これにより、簡単な構造で連動解除機構を構成することができる。
【００３６】
（１７）  前記第１腕部材および前記第２腕部材の長さは、両者の連結が解除されているとき、前記目当て部材を収納状態にするとともに前記リング部材を最も対物側に移動させることにより、前記凹部と前記凸部とが係合して両者が連結状態に復帰するような長さに設定されている上記（１６）に記載の双眼鏡。
【００３７】
これにより、第１腕部材および第２腕部材の連結状態が解除されている場合、簡単な操作で、第１腕部材および第２腕部材を連結状態に容易に復帰させることができる。
【００３８】
（１８）  前記第１腕部材および前記第２腕部材の長さは、両者の連結が解除されているとき、前記目当て部材を最大突出状態にするとともに前記リング部材を最も接眼側に移動させることにより、前記凹部と前記凸部とが係合して両者が連結状態に復帰するような長さに設定されている上記（１６）に記載の双眼鏡。
【００３９】
これにより、第１腕部材および第２腕部材の連結状態が解除されている場合、簡単な操作で、第１腕部材および第２腕部材を連結状態に容易に復帰させることができる。
【００４０】
【発明の実施の形態】
以下、本発明の双眼鏡を添付図面に示す好適な実施形態に基づいて詳細に説明する。
【００４１】
＜第１実施形態＞
図１は、本発明の双眼鏡の第１実施形態を示す平面図（上面図）、図２および図３は、それぞれ、図１に示す双眼鏡を下面側から見た縦断面図、図４は、図２中のＸ−Ｘ線断面図、図５および図６は、それぞれ、目当て連動機構を示す縦断面図、図７は、円筒カム機構におけるカム溝の構成例を示す展開図（図６中のＹ矢視図）、図８は、円筒カム機構におけるカム溝の他の構成例を示す展開図である。なお、以下では、説明の都合上、図１中の上側および図２中の下側を「対物側」、図１中の下側および図２中の上側を「接眼側」と言う。
【００４２】
図１に示すように、双眼鏡１Ａは、左眼用の観察光学系（望遠光学系）２Ｌが設置されたほぼ円筒形状の鏡体１１Ｌと、右眼用の観察光学系（望遠光学系）２Ｒが設置されたほぼ円筒形状の鏡体１１Ｒと、鏡体１１Ｌおよび１１Ｒを互いに回動可能に連結するブリッジ１３とを備えている。
【００４３】
観察光学系２Ｌ、２Ｒは、それぞれ、対物レンズ系２１Ｌ、２１Ｒと、図示しないプリズム系（正立光学系）と、接眼レンズ系２２Ｌ、２２Ｒとを有している。本実施形態の双眼鏡１Ａは、対物レンズ系２１Ｌ、２１Ｒの光軸と、接眼レンズ系２２Ｌ、２２Ｒの光軸とが一直線上にあるダハプリズム式のものであるが、本発明の双眼鏡はこれに限定されず、対物レンズ系の光軸と接眼レンズ系の光軸とが一直線上にないタイプ（ポロプリズム式）のものにも適用することができる。
【００４４】
図４および図５に示すように、ブリッジ１３は、鏡体１１Ｌ、１１Ｒの間に平行に配置された中心軸１３１を有するヒンジのような構造になっており、鏡体１１Ｌ、１１Ｒを回動可能に連結している。すなわち、鏡体１１Ｌ、１１Ｒは、中心軸１３１を中心として所定範囲で互いに回動可能になっており、また、その範囲では、開き具合を任意の状態で摩擦により保持することができるようになっている。これにより、接眼レンズ系２２Ｌ、２２Ｒの光軸間距離、すなわち眼幅を調整することができる。
【００４５】
なお、本実施形態の双眼鏡１Ａは、上述したように眼幅調整の方式が１軸回転式のものであるが、本発明の双眼鏡における眼幅調整の方式はこれに限定されず、２軸回転式のものや、スライド式のものなどであってもよい。
【００４６】
図５に示すように、中心軸１３１の接眼側の端部には、観察光学系２Ｌ、２Ｒのピントを調整する際に回転操作するピントリング３が同心的に設置されている。双眼鏡１Ａは、ピントリング３の回転運動を変換して、観察光学系２Ｌ、２Ｒの一部の構成要素をそれらの光軸Ｏ１、Ｏ２方向に移動させる機構（例えば送りねじ機構やカム機構など）を備えている（図示は省略）。これにより、ピントリング３を回転操作することによって、観察光学系２Ｌ、２Ｒのピント調整（合焦）を行うことができるようになっている。また、中心軸１３１の対物側の端部には、中心軸１３１の抜け止めをする円盤状の抜け止め部材１３４が設置されている。
【００４７】
図２および図３に示すように、観察光学系２Ｌ、２Ｒの接眼側には、それぞれ、接眼レンズ系２２Ｌ、２２Ｒに対して光軸Ｏ１、Ｏ２方向に変位可能な目当て部材４Ｌ、４Ｒが設置されている。目当て部材４Ｌ、４Ｒは、それぞれ、ほぼ円筒形状をなしており、例えば金属材料等の硬質な材料で構成された目当て環４１Ｌ、４１Ｒと、該目当て環４１Ｌ、４１Ｒの外周面および接眼側の端面を覆うように設置されたゴム製のカバー４２Ｌ、４２Ｒとで構成されている。
【００４８】
このような目当て部材４Ｌ、４Ｒは、鏡体１１Ｌ、１１Ｒの接眼側の端部外周に同心的に設置され、光軸Ｏ１、Ｏ２方向に摺動可能になっている。すなわち、目当て部材４Ｌ、４Ｒは、図２に示す状態（以下、「収納状態」と言う）と図３に示す状態（以下、「最大突出状態」と言う）との間を移動可能になっている。鏡体１１Ｌ、１１Ｒに固定されたねじ１４Ｌ、１４Ｒは、目当て環４１Ｌ、４１Ｒに形成された長孔４１１Ｌ、４１１Ｒに挿入しており、これにより、目当て部材４Ｌ、４Ｒは、抜け止めがなされ、図３に示す状態以上には引き出せないようになっている。
【００４９】
使用者は、眼鏡着用の有無や、顔の彫りの深さの違いなどに応じ、目当て部材４Ｌ、４Ｒの位置を自分に合わせて調整し、それらの端面４３Ｌ、４３Ｒに目の周囲または眼鏡を当てた状態で双眼鏡１Ａを覗く。これにより、使用者は、目を光軸Ｏ１、Ｏ２上の正規の位置（かげらずに全視野が見られる位置）、すなわちアイポイントに安定的に置くことができる。
【００５０】
さて、このような双眼鏡１Ａは、上述した一対の目当て部材４Ｌ、４Ｒを同時に（同期して）光軸Ｏ１、Ｏ２方向に変位させる目当て連動機構５Ａと、この目当て連動機構５Ａを作動させる際に操作する操作部材６とをさらに備えている。
【００５１】
図５に示すように、操作部材６は、ほぼ円筒状をなす部材であり、中心軸１３１の長手方向中間部分の外周に、回転可能に設置されている。すなわち、操作部材６は、ピントリング３と同心的に設けられている。図１に示すように、操作部材６の外周面の一部は、ブリッジ１３の上面側に形成された開口部１３３から外部に露出しており、この露出部分を指で触って回転操作することができる。このような構成により、使用者は、双眼鏡１Ａを把持して覗いた姿勢のままでも、操作部材６を指で容易に操作することができ、操作性に優れる。
【００５２】
また、操作部材６は、ピントリング３の対物側に位置している。これにより、双眼鏡１Ａを覗いた姿勢のとき、使用者から見て操作部材６がピントリング３よりは遠くに位置するので、より操作頻度の高いピントリング３の操作のし易さを損なうようなことはなく、また、ピントリング３と操作部材６とを間違えて操作するようなことも防止することができる。
【００５３】
本実施形態の目当て連動機構５Ａは、操作部材６の回転運動を目当て部材４Ｌ、４Ｒの直進運動に変換する円筒カム機構を有するものである。以下、この目当て連動機構５Ａの構成について説明する。
【００５４】
図５に示すように、目当て連動機構５Ａは、中心軸１３１の外周側に同心的に位置し、操作部材６と一体になって回転する円筒状のカム筒５３と、該カム筒５３の外周側に同心的に位置する円環状（円筒状）のリング部材５１と、リング部材５１に固定され径方向外方に突出するフォロアピン５４と、リング部材５１と目当て部材４Ｌ、４Ｒとを連結する連結部材５２Ｌ、５２Ｒとで構成されている。
【００５５】
図７に示すように、カム筒５３の周壁には、軸方向に対し傾斜したカム溝５３１が形成されている。フォロアピン５４は、このカム溝５３１内に挿入している。リング部材５１は、カム筒５３に対し軸方向（図５中の上下方向）に摺動可能になっており、カム筒５３が回転すると、フォロアピン５４がカム溝５３１内を移動することにより、リング部材５１が軸方向に進退する。
【００５６】
リング部材５１が最も対物側に移動した状態（図５に示す状態）では、リング部材５１のほぼ全体が操作部材６の内側に挿入しており、リング部材５１が最も接眼側に移動した状態（図６に示す状態）では、リング部材５１のほぼ全体が操作部材６内から接眼側に繰り出される。このように、操作部材６の内側のスペースをリング部材５１の可動領域として利用することにより、目当て連動機構５Ａを小さいスペースで設置することができる。
【００５７】
連結部材５２Ｌ、５２Ｒは、それぞれ、第１腕部材５２１Ｌ、５２１Ｒと、第２腕部材５２２Ｌ、５２２Ｒとで構成されている。
【００５８】
第１腕部材５２１Ｌ、５２１Ｒは、それぞれ、リング部材５１から鏡体１１Ｌ、１１Ｒに向かって突出し、さらに接眼側に向かって突出している。すなわち、第１腕部材５２１Ｌ、５２１Ｒは、それぞれ、リング部材５１から、ほぼＬ字状に突出している。これらの第１腕部材５２１Ｌ、５２１Ｒは、光軸Ｏ１、Ｏ２方向にはリング部材５１に伴って移動する。このうちの一方の第１腕部材５２１Ｌは、リング部材５１と一体的に形成されており、他方の第１腕部材５２１Ｒは、リング部材５１と別部材で構成されている。
【００５９】
第１腕部材５２１Ｒの根元部分には、凸部５２５が形成されており、この凸部５２５は、リング部材５１の外周面に周方向に沿って形成されたガイド溝５１１内に挿入している。凸部５２５は、ガイド溝５１１に沿って移動可能になっている。すなわち、第１腕部材５２１Ｒ（連結部材５２Ｒ）は、リング部材５１に対しリング部材５１の周方向に移動可能に設置されている。これにより、中心軸１３１を中心として鏡体１１Ｌ、１１Ｒを回動させたとき、第１腕部材５２１Ｌと第１腕部材５２１Ｒとのなす角度がこれに追従して変化できるようになっている（図４参照）。
【００６０】
図２に示すように、第２腕部材５２２Ｌ、５２２Ｒは、それぞれ、目当て環４１Ｌ、４１Ｒから対物側に向かって突出形成されている。この第２腕部材５２２Ｌ、５２２Ｒと、第１腕部材５２１Ｌ、５２１Ｒとは、それらの先端部に形成されたフック係合部（凹凸係合部）５２４Ｌ、５２４Ｒにより互いに連結されている。
【００６１】
なお、双眼鏡１Ａの完成状態では、図４に示すように、連結部材５２Ｌ、５２Ｒを覆う蓋部材１６Ｌ、１６Ｒが装着され、第１腕部材５２１Ｌ、５２１Ｒおよびフック係合部５２４Ｌ、５２４Ｒが外れることのないようにされる。図３に示すように、蓋部材１６Ｒには、フック１６２と孔１６１とが形成されており、フック１６２は、ブリッジ１３に設けられたフック１３６と係合し、また、ブリッジ１３に設けられたねじ孔１３２に孔１６１を重ねてねじ止めすることにより蓋部材１６Ｒが固定される。図３中では省略するが、蓋部材１６Ｒと対称形状の蓋部材１６Ｌが鏡体１１Ｌ側に同様に装着される。
【００６２】
このような目当て連動機構５Ａは、次のように作動する。使用者が操作部材６を所定方向に回転させると、カム筒５３およびフォロアピン５４からなる円筒カム機構が作動してリング部材５１が接眼側に移動し、これに伴い、連結部材５２Ｌ、５２Ｒを介して目当て部材４Ｌ、４Ｒが駆動され、光軸Ｏ１、Ｏ２方向に同時に突出する。そして、操作部材６を前記所定方向と逆方向に回転させると、目当て部材４Ｌ、４Ｒが光軸Ｏ１、Ｏ２方向に同時に引き込まれる。図２および図５は、目当て部材４Ｌ、４Ｒが最も引っ込んだ収納状態を示し、図３および図６は、目当て部材４Ｌ、４Ｒが最大に突出した状態を示している。
【００６３】
双眼鏡１Ａでは、このような目当て連動機構５Ａを設けたことにより、目当て部材４Ｌ、４Ｒの位置を調整する際、左右を別々に調整する必要がなく、一度に両方の調整を行うことができるので、便利である。また、一対の目当て部材４Ｌ、４Ｒの位置が揃った状態が常に維持されるので、両方の位置をきっちりと揃える煩わしさがない。このようなことから、双眼鏡１Ａでは、目当て部材４Ｌ、４Ｒの位置調整を容易かつ迅速に行うことができる。
【００６４】
また、操作部材６を設けたことにより、使用者は、双眼鏡１Ａを把持して覗いた姿勢のままでも、容易に目当て部材４Ｌ、４Ｒの位置調整を行うことができる。また、双眼鏡１Ａを覗きながら目当て部材４Ｌ、４Ｒの位置調整を行うと、自分に合った位置を容易に探し出すことができる。
【００６５】
また、本実施形態では、操作部材６を回転させる操作によって目当て部材４Ｌ、４Ｒの位置を調整できるので、軽い操作力で精密に位置調整を行うことができる。
【００６６】
また、本実施形態では、目当て部材４Ｌ、４Ｒの位置を無段階に調整することができるので、使用者の個人差に合わせて、より最適な位置に調整することができる。
【００６７】
目当て連動機構５Ａの円筒カム機構は、操作部材６を一定の角速度で回転させたとき、目当て部材４Ｌ、４Ｒが一定の速度で変位するようなものでもよいが、目当て部材４Ｌ、４Ｒの変位速度が途中で変化するように構成されたものでもよい。以下、この点について説明する。
【００６８】
図７に示すように、カム溝５３１は、その途中の２箇所に、カム筒５３の軸方向に垂直な垂直部分５３２を有している。この垂直部分５３２にフォロアピン５４があるときには、操作部材６が回転しても目当て部材４Ｌ、４Ｒは、変位しない。このような構成により、目当て部材４Ｌ、４Ｒの収納状態から操作部材６を回転させていくと、最大突出状態までの途中、２箇所で目当て部材４Ｌ、４Ｒの動きが一瞬停止する。これにより、目当て部材４Ｌ、４Ｒの位置が４段階に変化するように見えるので、何段目が丁度よい位置であるかを覚えておけば、次回双眼鏡１Ａを使用するとき、目当て部材４Ｌ、４Ｒの位置調整をより迅速かつ容易に行うことができる。なお、垂直部分５３２は、カム溝５３１の途中の１箇所に設けてもよく、３箇所以上設けてもよい。
【００６９】
図８は、カム溝５３１の他の構成例を示すものである。図８に示す構成例では、カム溝５３１の傾きが徐々に変化しており、これにより、操作部材６を一定の角速度で回転させたとき、目当て部材４Ｌ、４Ｒの収納状態に近いところでは目当て部材４Ｌ、４Ｒの変位速度が比較的速く、最大突出状態に近いところでは目当て部材４Ｌ、４Ｒの変位速度が比較的遅くなるように構成されている。目当て部材４Ｌ、４Ｒを突出させて使用する場合には、最大突出状態に近いところで使用する場合が多いが、上記のような構成により、その近くでは目当て部材４Ｌ、４Ｒがゆっくり動いて精密に位置調整を行うことができ、それより収納状態に近いところでは目当て部材４Ｌ、４Ｒが速く動いて迅速に目当て部材４Ｌ、４Ｒを突出させることができる。
【００７０】
なお、カム溝５３１は、図７に示す構成例と図８に示す構成例とを組み合わせたような形状になっていてもよい。
【００７１】
＜第２実施形態＞
図９および図１０は、それぞれ、本発明の双眼鏡の第２実施形態における目当て連動機構を示す縦断面図、図１１は、第２実施形態の双眼鏡を下面側から見た縦断面図（第１腕部材と第２腕部材との連結が解除された状態）、図１２および図１３は、第２実施形態の双眼鏡における目当て部材の独立位置決め機構を示す図である。
【００７２】
以下、これらの図を参照して本発明の双眼鏡の第２実施形態について説明するが、前述した実施形態との相違点を中心に説明し、同様の事項はその説明を省略する。
【００７３】
図９および図１０に示すように、本実施形態の双眼鏡１Ｂにおける目当て連動機構５Ｂは、前記第１実施形態の円筒カム機構に代えて、操作部材６の回転運動を目当て部材４Ｌ、４Ｒの直進運動に変換する送りねじ機構を有するものである。
【００７４】
目当て連動機構５Ｂは、前記カム筒５３に代えて、操作部材６と一体になって回転する送りねじ筒５５を有している。リング部材５１の内周面には、雌ねじ５１２が形成されており、この雌ねじ５１２は、送りねじ筒５５の外周面に形成された雄ねじに螺合している。
【００７５】
このような構成により、使用者が操作部材６を所定方向に回転させると、送りねじ筒５５およびリング部材５１からなる送りねじ機構が作動してリング部材５１が接眼側に移動し、これに伴い、連結部材５２Ｌ、５２Ｒを介して目当て部材４Ｌ、４Ｒが駆動され、光軸Ｏ１、Ｏ２方向に同時に突出する。そして、操作部材６を前記所定方向と逆方向に回転させると、目当て部材４Ｌ、４Ｒが光軸Ｏ１、Ｏ２方向に同時に引き込まれる。図９は、目当て部材４Ｌ、４Ｒが最も引っ込んだ収納状態を示し、図１０は、目当て部材４Ｌ、４Ｒが最大に突出した状態を示している。
【００７６】
本実施形態では、前記第１実施形態と同様に、目当て部材４Ｌ、４Ｒの位置を無段階に調整することができるので、使用者の個人差に合わせて、より最適な位置に調整することができる。また、操作部材６が回転するスピードに対し、目当て部材４Ｌ、４Ｒが比較的ゆっくりと変位するので、位置調整をより精密に行うことができる。
【００７７】
本実施形態の目当て連動機構５Ｂは、目当て部材４Ｌ、４Ｒの連動状態を解除可能な連動解除機構をさらに備えている。図示の構成では、第１腕部材５２１Ｌおよび第２腕部材５２２Ｌと、第１腕部材５２１Ｒおよび第２腕部材５２２Ｒとが、それぞれ、連動解除機構として機能する。以下、この連動解除機構について説明する。
【００７８】
第１腕部材５２１Ｌ、５２１Ｒの接眼側の端部には、斜面を有する谷型の凹部５２６Ｌ、５２６Ｒがそれぞれ形成されており、第２腕部材５２２Ｌ、５２２Ｒの対物側の端部には、斜面を有する山型の凸部５２７Ｌ、５２７Ｒがそれぞれ形成されている。
【００７９】
目当て連動機構５Ｂの正規の状態では、凹部５２６Ｌに凸部５２７Ｌが挿入・係合することにより、第１腕部材５２１Ｌおよび第２腕部材５２２Ｌが互いに連結され、また、凹部５２６Ｒに凸部５２７Ｒが挿入・係合することにより、第１腕部材５２１Ｒおよび第２腕部材５２２Ｒが互いに連結されている。これにより、目当て部材４Ｌ、４Ｒは、互いに連動する状態となる。また、この状態では、第２腕部材５２２Ｌ、５２２Ｒの撓み変形による弾性力により、凸部５２７Ｌ、５２７Ｒは、凹部５２６Ｌ、５２６Ｒに向かって付勢されている。
【００８０】
第１腕部材５２１Ｌと第２腕部材５２２Ｌとが連結された状態において、連結部材５２Ｌに、ある一定の強さ以上の外力が長手方向に作用すると、凸部５２７Ｌの斜面が凹部５２６Ｌの斜面に対し摺動してこれを乗り越え、凸部５２７Ｌが凹部５２６Ｌの外に出る（図１１参照）。これにより、第１腕部材５２１Ｌと第２腕部材５２２Ｌとの連結が解除されるので、目当て部材４Ｌ、４Ｒの連動状態が解除され、目当て部材４Ｌは、目当て部材４Ｒと異なる位置をとり得るようになる。以上は、第１腕部材５２１Ｌおよび第２腕部材５２２Ｌについて説明したが、第１腕部材５２１Ｒおよび第２腕部材５２２Ｒについても同様である。
【００８１】
このような連動解除機構を設けたことにより、目当て部材４Ｌ、４Ｒに過大な外力が作用したとき、凹部５２６Ｌ、５２６Ｒと凸部５２７Ｌ、５２７Ｒとの係合状態が外れることによって目当て部材４Ｌ、４Ｒの連動状態が解除されるので、目当て連動機構５Ｂが破損するのを防止することができる。よって、例えば、目当て連動機構５Ｂがあるのを知らない使用者が通常の双眼鏡と同じように目当て部材４Ｌ、４Ｒを掴んで光軸Ｏ１、Ｏ２方向に無理に押し込んだり引っ張ったりしたときであっても、目当て連動機構５Ｂが破損するのを防止することができる。
【００８２】
第１腕部材５２１Ｌおよび第２腕部材５２２Ｌの長さは、両者の連結が解除されているとき、目当て部材４Ｌを収納状態にするとともに操作部材６を回転させてリング部材５１を最も対物側に移動させることにより、凹部５２６Ｌと凸部５２７Ｌとがちょうど係合する位置に来て両者が連結状態に復帰するような長さに設定されている（図９参照）。よって、第１腕部材５２１Ｌおよび第２腕部材５２２Ｌの連結状態を解除した場合には、上記のような復帰操作を行うことにより、第１腕部材５２１Ｌおよび第２腕部材５２２Ｌを連結状態に容易に復帰させることができる。
【００８３】
また、第１腕部材５２１Ｌおよび第２腕部材５２２Ｌを連結状態に復帰させる操作は、次のようにして行うこともできる。すなわち、第１腕部材５２１Ｌおよび第２腕部材５２２Ｌの長さは、両者の連結が解除されているとき、目当て部材４Ｌを最大突出状態にするとともに操作部材６を回転させてリング部材５１を最も接眼側に移動させることにより、凹部５２６Ｌと凸部５２７Ｌとがちょうど係合する位置に来て両者が連結状態に復帰するような長さに設定されている。よって、第１腕部材５２１Ｌおよび第２腕部材５２２Ｌの連結状態を解除した場合には、上記のような復帰操作を行うことによっても、第１腕部材５２１Ｌおよび第２腕部材５２２Ｌを連結状態に容易に復帰させることができる。
【００８４】
なお、以上は第１腕部材５２１Ｌおよび第２腕部材５２２Ｌについて説明したが、第１腕部材５２１Ｒおよび第２腕部材５２２Ｒについても同様である。このような構成としたことにより、目当て連動機構５Ｂでは、目当て部材４Ｌ、４Ｒの連動状態を解除した場合、上記のような復帰操作を行うことにより、連動状態に容易に復帰させることができる。
【００８５】
本実施形態の双眼鏡１Ｂは、前述した連動解除機構により目当て部材４Ｌ、４Ｒの連動状態を解除した状態で、目当て部材４Ｌ、４Ｒの位置をそれぞれ独立に位置決め可能な独立位置決め機構をさらに備えている。以下、この独立位置決め機構について説明するが、目当て部材４Ｌに対する独立位置決め機構と、目当て部材４Ｒに対する独立位置決め機構とは互いに同様の構成であるので、代表して目当て部材４Ｌに対する独立位置決め機構についてのみ説明する。
【００８６】
図１２（ａ）および図１２（ｂ）に示すように、この独立位置決め機構は、双眼鏡１Ｂの本体側に形成された、目当て部材４Ｌの移動方向に沿って並ぶ複数（図示では３つ）のクリック凹部１７Ｌ、１８Ｌ、１９Ｌで構成されている。なお、図１２（ｂ）は、図１２（ａ）中のＺ矢視図である。
【００８７】
クリック凹部１７Ｌ、１８Ｌ、１９Ｌは、それぞれ、斜面を有する谷型をなしており、凸部５２７Ｌが挿入・係合し得る形状になっている。図１２（ｂ）に示すように、これらのクリック凹部１７Ｌ、１８Ｌ、１９Ｌは、第１腕部材５２１Ｌの可動領域と隣接して並行するような位置に形成されている。そして、第２腕部材５２２Ｌは、第１腕部材５２１Ｌの凹部５２６Ｌと、クリック凹部１７Ｌ、１８Ｌ、１９Ｌとの両方と係合し得るような幅寸法を有している。
【００８８】
図１２（ａ）に示すように、凹部５２６Ｌと凸部５２７との係合が外れた状態では、凸部５２７は、クリック凹部１７Ｌ、１８Ｌ、１９Ｌのいずれかに選択的に挿入・係合可能になる。凸部５２７がクリック凹部１７Ｌ、１８Ｌ、１９Ｌのいずれかに挿入・係合すると、目当て部材４Ｌは、その位置でクリックストップされ、位置決めがなされる。
【００８９】
このような独立位置決め機構を設けたことにより、本実施形態では、連動状態を解除した状態では、目当て部材４Ｌ、４Ｒの位置をそれぞれ独立して段階的に調整することができるので、目当て連動機構５Ｂがあるのを知らない使用者は、通常の双眼鏡と同じ要領で目当て部材４Ｌ、４Ｒの位置をそれぞれ独立に調整して使用することができる。または、何らかの理由で左右の目当て部材４Ｌ、４Ｒの位置を違える必要がある場合にも対処することができる。
【００９０】
なお、図１３に示すように、凹部５２６Ｌと凸部５２７Ｌとが係合した状態では、第２腕部材５２２Ｌが同図中の左側に撓むことにより、凸部５２７Ｌは、クリック凹部１７Ｌ、１８Ｌ、１９Ｌに挿入しないような位置（同図中の一点鎖線αより左側）に退避する。よって、凹部５２６Ｌと凸部５２７Ｌとが係合した状態では、凸部５２７Ｌと、クリック凹部１７Ｌ、１８Ｌ、１９Ｌとは干渉しないので、目当て部材４Ｌ、４Ｒが連動状態のときには、目当て部材４Ｌ、４Ｒは、クリックストップすることなくスムーズに移動する。
【００９１】
＜第３実施形態＞
図１４は、本発明の双眼鏡の第３実施形態を示す平面図（上面図）、図１５および図１６は、それぞれ、図１４に示す双眼鏡を下面側から見た縦断面図、図１７は、図１５中のＶ−Ｖ線断面図、図１８は、図１７中のＷ−Ｗ線断面図である。
【００９２】
以下、これらの図を参照して本発明の双眼鏡の第３実施形態について説明するが、前述した第１実施形態との相違点を中心に説明し、同様の事項はその説明を省略する。
【００９３】
図１５ないし図１７に示すように、本実施形態の双眼鏡１Ｃにおける目当て連動機構５Ｃは、リング部材５１に代えて、リング部材５６を有している。リング部材５６は、中心軸１３１の長手方向中間部分の外周側に同心的に設けられ、軸方向に摺動可能になっている。
【００９４】
連結部材５２Ｌ、５２Ｒは、それぞれ、前記第１実施形態とほぼ同様に、第１腕部材５２１Ｌ、５２１Ｒと、第２腕部材５２２Ｌ、５２２Ｒとで構成されている。一方の第１腕部材５２１Ｌは、リング部材５６と一体的に形成され、他方の第１腕部材５２１Ｒは、リング部材５６と別部材で構成されている。リング部材５６の外周面には、周方向に沿ってガイド溝５６１が形成され、このガイド溝５６１内に、第１腕部材５２１Ｒの根元部分に形成された凸部５２８が挿入している。凸部５２８は、ガイド溝５６１に沿って移動可能であるので、第１腕部材５２１Ｒは、リング部材５６の周方向に沿って所定範囲で移動可能になっている。これにより、中心軸１３１を中心として鏡体１１Ｌ、１１Ｒを回動させたとき、第１腕部材５２１Ｌと第１腕部材５２１Ｒとのなす角度がこれに追従して変化できるようになっている（図１７参照）。
【００９５】
リング部材５６の図１７中で下側の部分は、ブリッジ１３の上面側に形成された開口部１３３から外部に露出しており、この露出した部分の外周面には、滑り止め手段としてのローレット５６２が形成されている（図１４参照）。双眼鏡１Ｃの使用者は、このローレット５６２に指を当てて、リング部材５６を軸方向に容易にスライドさせることができる。リング部材５６をスライドさせると、目当て部材４Ｌ、４Ｒは、連結部材５２Ｌ、５２Ｒを介して駆動され、光軸Ｏ１、Ｏ２方向に同時に変位する。
【００９６】
このように、本実施形態の目当て連動機構５Ｃでは、リング部材５６が操作部材を兼ねており、リング部材５６を直接指でスライドさせることにより、目当て部材４Ｌ、４Ｒが図１５に示す収納状態と図１６に示す最大突出状態との間で同時に変位するように構成されている。このような目当て連動機構５Ｃでは、前述した実施形態と比べ、構造をより簡素化することができる。
【００９７】
図１７に示すように、本実施形態の双眼鏡１Ｃは、目当て部材４Ｌ、４Ｒの移動に対するクリックストップ機構７をさらに備えている。図１８に示すように、クリックストップ機構７は、ブリッジ１３の内部に設置されたクリックボール７１と、リング部材５６の外周面に形成され、クリックボール７１の一部が挿入し得る複数の凹部７３と、クリックボール７１を凹部７３に向かって押圧するバネ７２とで構成されている。複数の凹部７３は、リング部材５６の軸方向に沿って配置されており、リング部材５６の位置に応じ、いずれかの凹部７３内にクリックボール７１が挿入する。そして、凹部７３内にクリックボール７１が挿入した状態では、バネ７２の付勢力によって、リング部材５６の位置が保持される。
【００９８】
このようなクリックストップ機構７を設けたことにより、リング部材５６をスライドさせて目当て部材４Ｌ、４Ｒの位置調整を行う際、クリック感（節度感）が得られるので、調整操作がし易く、希望の位置に容易に位置決めすることができる。
【００９９】
以上、本発明の双眼鏡を図示の実施形態について説明したが、本発明は、これに限定されるものではなく、双眼鏡を構成する各部は、同様の機能を発揮し得る任意の構成のものと置換することができる。また、任意の構成物が付加されていてもよい。
【０１００】
【発明の効果】
以上述べたように、本発明によれば、操作部材を操作することにより、左右一対の目当て部材を同時に変位させることができる。よって、左右の目当て部材の位置を別々に調整する必要がなく、一度に両方の位置を調整することができるので、位置調整を迅速かつ容易に行うことができる。また、左右一対の目当て部材の位置が揃った状態が常に維持されるので、両方の位置を揃えるために気を使う必要もない。
【図面の簡単な説明】
【図１】本発明の双眼鏡の第１実施形態を示す平面図（上面図）である。
【図２】図１に示す双眼鏡を下面側から見た縦断面図である。
【図３】図１に示す双眼鏡を下面側から見た縦断面図である。
【図４】図２中のＸ−Ｘ線断面図である。
【図５】目当て連動機構を示す縦断面図である。
【図６】目当て連動機構を示す縦断面図である。
【図７】円筒カム機構におけるカム溝の構成例を示す展開図（図６中のＹ矢視図）である。
【図８】円筒カム機構におけるカム溝の他の構成例を示す展開図ある。
【図９】本発明の双眼鏡の第２実施形態における目当て連動機構を示す縦断面図である。
【図１０】本発明の双眼鏡の第２実施形態における目当て連動機構を示す縦断面図である。
【図１１】第２実施形態の双眼鏡を下面側から見た縦断面図（第１腕部材と第２腕部材との連結が解除された状態）である。
【図１２】第２実施形態の双眼鏡における目当て部材の独立位置決め機構を示す図である。
【図１３】第２実施形態の双眼鏡における目当て部材の独立位置決め機構を示す図である。
【図１４】本発明の双眼鏡の第３実施形態を示す平面図（上面図）である。
【図１５】図１４に示す双眼鏡を下面側から見た縦断面図である。
【図１６】図１４に示す双眼鏡を下面側から見た縦断面図である。
【図１７】図１５中のＶ−Ｖ線断面図である。
【図１８】図１７中のＷ−Ｗ線断面図である。
【符号の説明】
１Ａ、１Ｂ、１Ｃ  双眼鏡
１１Ｌ、１１Ｒ  鏡体
１３          ブリッジ
１３１        中心軸
１３２        ねじ孔
１３３        開口部
１３４        抜け止め部材
１４Ｌ、１４Ｒ  ねじ
１６Ｌ、１６Ｒ  蓋部材
１６１        孔
１７Ｌ、１８Ｌ、１９Ｌ  クリック凹部
２Ｌ、２Ｒ    観察光学系
２１Ｌ、２１Ｒ  対物レンズ系
２２Ｌ、２２Ｒ  接眼レンズ系
３            ピントリング
４Ｌ、４Ｒ    目当て部材
４１Ｌ、４１Ｒ  目当て環
４１１Ｌ、４１１Ｒ  長孔
４２Ｌ、４２Ｒ  カバー
４３Ｌ、４３Ｒ  端面
５Ａ、５Ｂ    目当て連動機構
５１          リング部材
５１１        ガイド溝
５１２        雌ねじ
５２Ｌ、５２Ｒ  連結部材
５２１Ｌ、５２１Ｒ  第１腕部材
５２２Ｌ、５２２Ｒ  第２腕部材
５２３        凸部
５２４Ｌ、５２４Ｒ  フック係合部
５２５        凸部
５２６Ｌ、５２６Ｒ  凹部
５２７Ｌ、５２７Ｒ  凸部
５２８        凸部
５３          カム筒
５３１        カム溝
５３２        垂直部分
５４          フォロアピン
５５          送りねじ筒
５６          リング部材
５６１        ガイド溝
５６２        ローレット
６            操作部材
７            クリックストップ機構
７１          クリックボール
７２          バネ
７３          凹部
Ｏ１、Ｏ２      光軸
【図１】
2005017759.tif 000003
【図２】
2005017759.tif 000004
【図３】
2005017759.tif 000005
【図４】
2005017759.tif 000006
【図５】
2005017759.tif 000007
【図６】
2005017759.tif 000008
【図７】
2005017759.tif 000009
【図８】
2005017759.tif 000010
【図９】
2005017759.tif 000011
【図１０】
2005017759.tif 000012
【図１１】
2005017759.tif 000013
【図１２】
2005017759.tif 000014
【図１３】
2005017759.tif 000015
【図１４】
2005017759.tif 000016
【図１５】
2005017759.tif 000017
【図１６】
2005017759.tif 000018
【図１７】
2005017759.tif 000019
【図１８】
2005017759.tif 000020